(57)【要約】【課題】画像形成装置において、原稿の画像データの入力順に対して、画像データとスタンプデータとの合成順が異なることにより、対応する画像データの出力順が異なる場合でも、スタンプに含まれる通し番号の順番と出力される画像データの出力順とに表示上の齟齬が生じないようにする。【解決手段】画像形成装置は、各ページの出力順をページ毎の画像データの入力順と異なる出力順に設定された場合、制御部は、出力順の変更処理を行った後に、画像データとスタンプデータ合成処理を行う。【選択図】図８
2008048381.tif 000002
【特許請求の範囲】
【請求項１】
ページ毎に入力された画像データに基づき画像形成する画像形成装置において、
各ページの出力順を前記ページ毎の画像データの入力順と異なる出力順を設定するための表示操作部と、
少なくとも前記画像形成装置自体を特定する情報、および、各ページの画像データの出力順に連番で付与される通し番号を有するスタンプデータを生成するスタンプ生成部と、
前記表示操作部で設定されたページの出力順に、各ページの前記画像データの出力順を変更する変更処理を行うと共に、前記画像データと前記スタンプデータとを合成する合成処理を行う制御部とを有し、
前記制御部は、前記出力順の変更処理を行った後に、前記合成処理を行うことを特徴とする画像形成装置。
【請求項２】
入力された原稿の画像データを記憶する画像メモリを有し、
前記画像データには、前記画像メモリから読出すための読出しアドレスが付加されており、
前記制御部は、前記表示操作部にて設定された出力順に対応して前記画像データに付加された読出しアドレスを変更することで前記画像データの出力順を変更することを特徴とする請求項１に記載の画像形成装置。
【請求項３】
前記制御部は、原稿が見開き原稿である場合、入力されたページの画像データを左右または上下に夫々個別のページに分割し、前記表示操作部でのウラ表紙のページの指定に基づき、当該ウラ表紙のページの出力順を最後とするように出力順を変更することを特徴とする請求項１に記載の画像形成装置。
【請求項４】
前記制御部は、前記表示操作部において画像データの任意のページ間が指定されている場合、新たな原稿の画像データの入力を受け付けて、指定されている前記ページ間に当該新たな原稿の画像データを挿入することを特徴とする請求項１に記載の画像形成装置。
【発明の詳細な説明】
【技術分野】
【０００１】
本発明は、原稿から読み込んだ画像データの出力順の管理を行う画像形成装置において、前記画像データとスタンプデータの合成を行う技術に関する。
【背景技術】
【０００２】
従来から画像形成装置は、出力する画像データの管理に供する様々な機能を有している。例えば、原稿の読み込み順と出力順とを調整する差込ページ機能やページ連写機能などである。また、画像データを出力した画像形成装置や日時を特定するスタンプ機能などが挙げられる。
【０００３】
前記ページ連写機能とは、原稿が見開き原稿である場合に、その見開き原稿の左右または上下のページをスキャンしてその画像形成装置が読み取った１ページの原稿の画像データを左右または上下にそれぞれを別々のページとして２分割し、分割したそれぞれのページの画像データを出力して、用紙に画像形成したり、外部の機器へ送信したり、ハードディスク等の保存用のメモリに保存する機能である。
【０００４】
また、前記差込ページ機能とは、複数ページの原稿を順に読込んだ後に、当該読込んだ原稿とは異なる新たな原稿を読み込み、これらの原稿の画像データを出力する場合、読み込み順に出力するのではなく、最初に読込んだ複数の原稿の画像データのページ間に、新たに読込んだ原稿の画像データを挿入し、その順で画像データを出力する機能である。
【０００５】
また、スタンプ機能とは、文字列、例えば、画像形成装置の識別情報、管理番号に用いる通し番号、出力した日付を示す日付情報等のスタンプデータと、画像データとを合成する機能である。なお、このスタンプに含まれる通し番号は、１つの画像形成装置において同じ番号を付与することはなく、通し番号が付与されるごとにカウントアップされるようになっている。スタンプ機能を設定し、画像形成装置を特定する情報や、通し番号等を含んだスタンプを付与することによって、出力した画像形成装置や日時を特定することができる。
【０００６】
原稿の読み込み順と画像データの出力順とを調整する機能およびスタンプ機能を有する画像形成装置により出力した場合の画像の従来例を、図９および図１０に示して説明する。
【０００７】
図９（Ａ）は、画像形成装置のページ連写機能において「オモテ・ウラ表紙／見開き読み込み」機能を設定した場合の読み込み順を示す図である。図９（Ｂ）は、その設定の下でスタンプデータと原稿の画像データとが合成された画像データの出力順の従来の状態を示す図である。なお、図９（Ｂ）においてスタンプの通し番号は、番号「１００１」〜「１００６」として示されている。
【０００８】
ページ連写機能を設定して所望の画像を出力するには、例えば、ユーザは、表示操作部等においてページ連写機能を設定し、出力したい原稿を、図９（Ａ）のように、「オモテ表紙」、「ウラ表紙」、見開きページの「原稿Ａ・Ｂ」および見開きの「原稿Ｃ・Ｄ」の順に読込ませる。原稿を読込むたびに、ページごとのスタンプデータが生成される。このとき、ページごとに生成されるスタンプデータに含まれる通し番号は、原稿の読み込み順と同様な連番となっている。例えば、図９（Ａ）に示す読み込み順で読込んだときは、同じ順番で通し番号も付与される。
【０００９】
ページごとのスタンプデータが生成された後、読み込んだ原稿の画像データとスタンプデータが合成される。合成された画像データは画像メモリにメモリされる。また、次回付与される通し番号のために、通し番号がカウントアップされる。カウントアップすることによって、１つの画像形成装置において同一の番号が付与されることがなくなる。なお、ジョブが終了してもスタンプデータの通し番号はリセットされることはなく、漸次カウントアップされて更新される。
【００１０】
このようにして、原稿を読み込み、スタンプデータの通し番号をカウントアップしながら、画像メモリに各ページの画像データが順次メモリされ、この工程が繰り返される。全ての原稿について読み込みを完了すると、画像メモリにメモリし、合成された画像データの出力順の変更処理が行われる。この変更処理は、例えば、画像メモリにメモリされている画像データに付与されている読出しアドレスを変更することにより並び替える処理である。
【００１１】
図９（Ｂ）に例示する出力画像においては、ページ連写機能が設定されていることにより、３番目に読込んだ原稿の画像データについては「原稿Ａ」、「原稿Ｂ」として、４番目に読込んだ原稿の画像データについては「原稿Ｃ」、「原稿Ｄ」として、それぞれ個別のページの画像データとして画像メモリにメモリされ、出力される。さらに、スタンプ機能における通し番号も、「原稿Ａ」、「原稿Ｂ」、「原稿Ｃ」、「原稿Ｄ」の読み込み順にそれぞれについて読み込み時に付与される。
【００１２】
また、図９（Ｂ）においては、ページ連写機能において「オモテ・ウラ表紙／見開き読み込み」が設定されていることにより、読み込み順とは異なる順番で画像データが出力される。この「オモテ・ウラ表紙／見開き読み込み」が設定されている場合、最初に出力される画像データは、原稿の読み込み順番通りの「オモテ表紙」であるが、次に読込んだ原稿の画像データである「ウラ表紙」が出力されず、「オモテ表紙」の次に出力される画像データは、「ウラ表紙」の次に読込んだ「原稿Ａ」となり、「原稿Ａ」の次は「原稿Ｂ」となる。この場合「ウラ表紙」は、「原稿Ｄ」の次に出力され、このジョブにおける出力順としては最後となる。
【００１３】
図１０（Ａ）は、差込ページ機能において、「原稿片面４ページで１ページ目の後に差込ページを挿入する」の設定がされている場合の読み込み順を示す図である。図１０（Ｂ）は、この設定の下でスタンプデータと原稿の画像データとが合成された画像データの出力順の従来の状態を示す図である。なお、図１０（Ｂ）において、スタンプの通し番号は、番号「１２３４」〜「１２３８」として示されている。
【００１４】
差込ページ機能を設定して所望の画像を出力するには、例えば、ユーザは、一旦原稿を読み込ませた後、表示操作部等によって新たな原稿を挿入しようとする任意のページ間を指定し、挿入しようとする新たな原稿を読み込ませる。例えば、図１０（Ａ）に示すように、ユーザは、「原稿１〜４」を読み込ませた後、任意のページ間、この場合は「原稿１」と「原稿２」の間なので「原稿１」の後を指定し、新たな「原稿５」をさらに読み込ませる。これにより、「原稿１」の次の画像データとして「原稿５」が挿入される。
【００１５】
前述の通り、原稿が読み込まれるたびに、ページごとのスタンプデータが生成されて画像データに合成されて画像メモリにメモリされるため、通し番号は原稿の読み込み順と同じ順番の連番となっている。例えば、図１０（Ａ）のような順番で読み込まれたときは、同じ順番で通し番号も付与される。その後、合成された画像データが出力される。
【００１６】
図１０（Ｂ）に例示される出力画像においては、差込ページ機能が設定されていることにより、最後に読み込まれた「原稿５」が「原稿１」の後に挿入されているので、読み込まれた順番とは異なる順番で画像データが出力される。すなわち、最初に出力される画像データは、原稿の読み込み順番の通り「原稿１」であるが、「原稿１」の次に出力される画像データは、次に読み込まれた「原稿２」とならず、最後に読み込まれた「原稿５」となり、「原稿５」に次いで「原稿２」が出力され、最後に「原稿４」が出力される。
【００１７】
このように従来は、画像形成装置においてスタンプ機能が設定されている場合、スタンプデータの付与タイミングが原稿の読み込み時となっていた。したがって、原稿の読み込み順と画像データの出力順に変更があると、スタンプ機能によって出力画像に付与される通し番号の順番は出力順と異なるものとなっていた。
【００１８】
例えば、ページ連写機能において「オモテ・ウラ表紙／見開き読み込み」が設定されているときは、図９（Ｂ）に示すように、読み込み順が「オモテ表紙」、「ウラ表紙」、「原稿Ａ・Ｂ」、「原稿Ｃ・Ｄ」となっているため、その順番に連番で通し番号が、「１００１」、「１００２」、「１００３」〜「１００６」と付与される。しかし、画像データの出力時には、画像データの出力順が並べ替えられているため、２番目に読込んだ「ウラ表紙」が最後に出力されることとなり、出力画像を出力順に見たときに、通し番号は連番とはならない。
【００１９】
また、差込ページ機能が設定されているときは、図１０（Ｂ）に示すように、「原稿１」〜「原稿４」の読み込み順で読込んだ後に、「原稿５」を読み込んでおり、読み込み順に連番で通し番号が「１２３４」〜「１２３７」、「１２３８」と付与される。しかし、出力時には、原稿の画像データが並べ替えられ、最後に読込んだ「原稿５」が２番目に出力されることにより、この場合も、出力画像を出力順に見たときに、付加された通し番号は連番とはならない。
【００２０】
ところで、従来から、ページ番号や日付、原稿のセット毎に割り当てた番号、または背景に模様を付加するアノテーション機能を有する画像形成装置がある。このアノテーション機能として、ページ番号を画像形成のサイクルごとに加算し、原稿にないページ番号を付加することができる画像形成装置が提案されている（特許文献１）。また、従来、アノテーション機能の有効または無効を設定し、アノテーション機能によりページ番号を付加する任意のページを入力し、ページ番号を付加するページをユーザが指定することにより、指定した任意のページについてのみ、ページ番号を画像データに合成して画像を出力することができる画像形成装置が提案されている（特許文献２）。
【００２１】
【特許文献１】特開昭６４−４４９７２号公報
【特許文献２】特開２００３−２７４１５１号公報
【発明の開示】
【発明が解決しようとする課題】
【００２２】
前述のように、従来から原稿の画像データにスタンプデータを付加するアノテーション機能などが提案されていたが、これらのスタンプ付加方法では、ページ連写機能において「オモテ・ウラ表紙／見開き読み込み」が設定されている場合や、差込ページ機能が設定されている場合のように、原稿の読み込み順に対して、スタンプデータと読込んだ画像データとを合成する合成順が異なってしまう場合に問題が生じうる。
【００２３】
すなわち、前述のように図９（Ｂ）または図１０（Ｂ）に示される出力画像のように、出力順に出力画像を見ると、出力画像に付加された通し番号が連番とならず、通し番号の順番が、出力順と逆転するといったようなずれが生じ、ユーザが混乱をきたすおそれがある。例えば、ユーザがスタンプを参照しつつ、出力画像を出力順に閲覧する場合、通し番号が連番となっていない場合、通し番号がずれているのか、もしくは出力順がずれているのか判断することが困難となるおそれがある。さらに、スタンプが付加された画像データをＩＰスキャナで送信する場合、当該画像データにかかる原稿の入力作業を行うユーザと、画像データを受信し、閲覧する者とが異なる場合があり、当該画像データを閲覧する者は出力順と、通し番号とのずれを判断することがより困難となり、混乱を生じる。
【００２４】
このような問題について、特許文献１および２では言及されておらず、これらに記載されている画像形成装置のアノテーション機能では、上記のユーザに生じる混乱を解消することが困難である。
【００２５】
本発明は、以上の問題点に鑑みてなされたものであって、原稿の画像データの入力順に対して、原稿の画像データとスタンプデータとの合成順が異なることにより、対応する画像データの出力順が異なる場合でも、スタンプに含まれる通し番号の順番と出力される画像データの出力順とに表示上の齟齬が生じないようにする技術を提供することを目的とする。
【課題を解決するための手段】
【００２６】
上記の課題を解決するために、請求項１に記載の発明は、ページ毎に入力された画像データに基づき画像形成する画像形成装置において、各ページの出力順を前記ページ毎の画像データの入力順と異なる出力順を設定するための表示操作部と、少なくとも前記画像形成装置自体を特定する情報、および、各ページの画像データの出力順に連番で付与される通し番号を有するスタンプデータを生成するスタンプ生成部と、前記表示操作部で設定されたページの出力順に、各ページの前記画像データの出力順を変更する変更処理を行うと共に、前記画像データと前記スタンプデータとを合成する合成処理を行う制御部とを有し、前記制御部は、前記出力順の変更処理を行った後に、前記合成処理を行うことを特徴とする画像形成装置。
【発明の効果】
【００２７】
請求項１にかかる本発明によれば、各ページの出力順が変更されてから、当該原稿の画像データとスタンプデータを合成し、この合成された画像データを出力するように構成している。したがって、画像データの出力順が原稿の入力順と異なる場合であっても、原稿の入力順に通し番号が付与されることはなく、設定された出力順に変更された画像データに対してスタンプデータを合成することにより、出力される画像データには、出力順に連番の通し番号が付与され、出力順と通し番号のずれを防止することができる。結果として、画像形成装置における出力順が変更される機能を使用するユーザに混乱を生じさせないようにすることができる。
【発明を実施するための最良の形態】
【００２８】
（構成）
本発明の実施形態に係る画像形成装置１の構成について、図１および図２を参照して説明する。図１は、本発明の画像形成装置１の概略構成図である。また、図２は、本発明の画像形成装置１の制御の構成を示すブロック図である。
【００２９】
この実施形態にかかる画像形成装置１は、自動原稿搬送装置（Ａｕｔｏ  Ｄｏｃｕｍｅｎｔ  Ｆｅｅｄｅｒ）１０、画像読取部２０、画像書込部２１、画像形成部２２、搬送部３０、給紙トレイ４０を備えて構成される。画像形成装置１は、例えば自動原稿搬送装置１０から供給された原稿を画像読取部２０で読取り、画像処理を行って、給紙トレイ４０から給紙された用紙に対し、画像形成部２２によって画像形成する。画像形成された用紙は搬送部３０によって搬送される。なお、本実施形態の画像形成装置１における画像形成方式は、周知の電子写真方式による。以下、画像形成装置１の各部の構成について説明する。
【００３０】
自動原稿搬送装置１０は、原稿を載置する載置部１１を有し、原稿が載置されると、当該原稿を画像読取部２０に搬送する。画像読取部２０で画像が読み取られた原稿は、排紙部１２に排紙される。
【００３１】
画像読取部２０は、自動原稿搬送装置１０から搬送されてきた原稿、または原稿台１３に載置された原稿の画像を、ＣＣＤ（Ｃｈａｒｇｅ  Ｃｏｕｐｌｅｄ  Ｄｅｖｉｃｅ）１４等により読み取る。画像書込部２１は、読み取った画像データに応じたレーザ光を感光体ドラム２３に照射し、静電潜像を形成した上でこの静電潜像を現像し、感光体ドラム２３上にトナー像を形成する。
【００３２】
一方、搬送部３０により、給紙トレイ４０から画像形成部２２に用紙が搬送される。
【００３３】
画像形成部２２は、感光体ドラムを有し、感光体ドラムに形成したトナー像を転写する。用紙に当該トナー像を転写すると、用紙を感光体ドラムから分離し、熱と圧力により当該トナー像を用紙に定着する。両面プリントの場合は当該用紙の他方の面にも画像を形成する。画像形成された用紙は、画像形成装置１から排出される。
【００３４】
次に、図２を用いて、この実施形態にかかる画像形成装置１の制御部手段およびそれに用いる各部の概略構成について説明する。
【００３５】
図２に示すように画像形成装置１は、自動原稿搬送装置１０、や画像形成部２２、Ｉ／Ｆ（Ｉｎｔｅｒｆａｃｅ）３、受信メモリ４、制御部５、画像メモリ６、スタンプ生成部７、および表示操作部８等を備える。
【００３６】
制御部５は、ＣＰＵ（Ｃｅｎｔｒａｌ  Ｐｒｏｃｅｓｓｉｎｇ  Ｕｎｉｔ）等のマイクロプロセッサ、ＲＯＭ（Ｒｅａｄ  Ｏｎｌｙ  Ｍｅｍｏｒｙ）９およびＲＡＭ（Ｒａｎｄｏｍ  Ａｃｃｅｓｓ  Ｍｅｍｏｒｙ）等を含んで構成される。また、ＲＯＭ９には、あらかじめ制御プログラムが記憶され、ＣＰＵが当該制御プログラムを適宜ＲＡＭ上に展開することにより、制御部５として機能する。具体的には、読取制御、読出しアドレス管理、送受信制御、表示操作制御、画像処理制御、読み出しアドレスの変更による変更処理、スタンプデータの合成処理、プリンタ制御、等を行うようになっている。各処理や制御については後述する。さらにＲＯＭ９には、表示操作部８の表示部８ａに表示する表示画面データもあらかじめ記憶されている。
【００３７】
外部端末５０等から送信され、ネットワーク２およびＩ／Ｆ３を介して受信された画像データは、受信メモリ４に一時的にメモリされる。ネットワーク２としては例えば、ＬＡＮ（Ｌｏｃａｌ  Ａｒｅａ  Ｎｅｔｗｏｒｋ）等が挙げられる。
【００３８】
受信メモリ４に一時的にメモリされた画像データは、画像処理がなされて、後述する送受信制御により画像メモリ６に送信される。画像メモリ６は、受信メモリ４から受信した画像データおよび画像読取部２０から読み取った画像データを記憶する。
【００３９】
スタンプ生成部７は、日付情報を管理するための内部時計および、通し番号をカウントするカウンタを含んで構成される。また、スタンプ生成部７は、画像形成装置の識別情報をあらかじめ記憶し、管理番号などに用いる通し番号や、出力する日付を示す日付情報を管理する。このうち、通し番号は、画像データに付加されるたびにカウントアップされて、更新される。スタンプ生成部７は、これらの情報が含まれたスタンプデータを表示操作部８における設定に応じて生成している。なお、内部時計が管理する情報は、日時情報であってもよい。
【００４０】
表示操作部８は、表示部８ａと、操作部８ｂとを備えて構成される。この操作部８ａとしては、例えば、ＬＣＤ（Ｌｉｑｕｉｄ  Ｃｒｙｓｔａｌ  Ｄｉｓｐｌａｙ；液晶ディスプレイ）等の任意の表示デバイスが用いられる。操作部８ｂは、操作ボタン、テンキー、電子ペン等の任意の入力デバイスや操作デバイスを含んで構成される。なお、表示部８ａと操作部８ｂとは、別々に設けられている必要はなく、例えば、タッチパネル式のＬＣＤなどのようにそれらを一体化していてもよい。
【００４１】
ここで、本実施形態の画像形成装置１における制御部５の各処理および各制御について以下に説明する。
【００４２】
制御部５による読取制御では、自動原稿搬送装置１０を制御して載置された原稿または原稿台に載置された原稿を画像読取部２０に搬送させ、当該原稿にかかる画像を画像読取部２０によって読み取らせる。
【００４３】
制御部５による送受信制御では、画像読取部２０、またはネットワーク２から画像データの入力があると、当該画像データをジョブとして画像データの入力されたページ順に受け付ける。ネットワーク２から当該ジョブを受け付けると、Ｉ／Ｆ３を介して入力された画像データを受信メモリ４に一時的にメモリさせる。受信メモリ４に一時的にメモリされた画像データは、画像処理がなされて、画像メモリ６に送信される。画像メモリ６に画像データをメモリする時に、入力されたページ順に読出しアドレスが付与して、画像データをメモリするように制御する。他方、読取制御に基づいて画像読取部２０から当該ジョブを受け付けると、当該ジョブにかかる画像データについて、読出しアドレスが付与されて、画像メモリ６に入力されたページ順にメモリさせる制御を行う。また、表示操作部８等からの指示に応じ、画像データを、ネットワーク２を介して外部に送信する制御を行う。
【００４４】
制御部５による読出しアドレス管理では、Ｉ／Ｆ３を介して、または画像読取部２０から入力された画像データの各ページそれぞれに対し、入力順に読出しアドレスを割り当てる。この割り当てられたアドレスに対応する画像データを画像メモリ６にメモリさせる。そして、ジョブごとに読出しアドレスのリストを作成し、画像データを当該リストにより管理する。また、この読出しアドレスは、後述するスタンプデータの合成処理を行う際に、画像メモリ６から画像データを読み出すために使用され、スタンプデータと合成された画像データを出力する際に、合成された画像データを読み出すために使用されるものである。
【００４５】
制御部５による表示操作制御では、入力する原稿にかかるジョブ等に関する事項についてユーザが設定するための表示画面を、表示操作部８における表示部８ａに表示させる。ジョブ等に関する事項とは、例えば、ジョブにかかる用紙についての項目（拡大・縮小倍率、用紙方向、用紙のサイズや種類、給紙トレイ、など）、ジョブの出力順についての項目（ページ連写機能、差込ページ機能など）出力についての項目（部数、排紙トレイ、排紙モード、ソート、仕分け、ＩＰスキャナ送信の有無、送信先など）、製本についての項目（とじ位置、後処理の種類など）、スタンプについての項目（日付情報、画像形成装置の識別情報、通し番号など）である。
【００４６】
このユーザによるジョブ等に関する事項の設定の一例として、ページ連写機能の設定または差込ページ機能の設定がある。ユーザは、例えば、表示部８ａに表示される表示画面において、操作部８ｂにより、これらの設定を行うことができる。なお、これらの設定は、通常、原稿データの入力作業が実行される前に行われるものである。
【００４７】
ここで、図３〜５を用いてページ連写機能または差込ページ機能の設定方法を説明する。図３は、本発明の実施形態にかかる画像形成装置１において、出力画像のページ編集に関する設定をするための設定画面を表す図面である。
【００４８】
図３に示すように本実施形態における出力画像のページ編集は、ユーザが操作部８ｂにより編集機能一覧画面６０における、いずれかの編集機能ボタン（ページ連写ボタン６１等）を選択して、各編集機能設定画面において詳細な設定を行なう。すなわち、ユーザにより各編集機能ボタンが選択されると、制御部５は選択された当該ボタンに対応した編集機能の画面データ（例えば、ページ連写設定画面７０等）をＲＯＭ９から読み出して、表示部８ａに表示させる。
【００４９】
例えば、出力画像のページ編集機能としてページ連写機能を使用する場合は、ページ連写ボタン６１を操作部８ｂ等により選択し、ページ連写設定画面により詳細な設定を行う。差込ページ機能を使用する場合は、差込ページボタン６２を選択し、差込ページ設定画面により設定を行う。なお、本実施形態においては、表示部８ａおよび操作部８ｂを用いて編集機能一覧画面６０の操作を行うようになっている。
【００５０】
図４は、本発明の実施形態にかかる画像形成装置１における出力画像のページ編集のうち、ページ連写機能に関する設定についての設定画面である。ユーザは操作部８ｂにより、このページ連写設定画面７０において、見開き読み込みボタン７１、オモテ表紙／見開き読み込みボタン７２、オモテ表紙・ウラ表紙／見開き読み込みボタン７３のいずれかを選択することにより、各ボタンに対応するページ連写機能を選択する。
【００５１】
選択したいずれかのページ連写機能を決定する場合は、ＯＫボタン７４を操作部８ｂにより選択する。いずれかのページ連写機能が選択されてＯＫボタン７４が選択されることにより、制御部５は当該選択された条件を制御信号としてＲＯＭ９に記憶させておく。この制御信号には、原稿にかかるジョブのページの出力順が含まれる。なお、ページ連写機能の設定を解除する場合は、キャンセルボタン７５を選択する。キャンセルボタン７５が選択されると、制御部５はＲＯＭ９から、編集機能一覧画面６０の画面データを読出し、表示部８ａに表示させる。
【００５２】
ここで、「見開き読み込み」とは、画像形成装置１が見開き原稿の入力を受けて、入力された見開き原稿を左右または上下のページに２分割し、それぞれを別々のページとして出力させる機能である。また、「オモテ表紙・ウラ表紙／見開き読み込み」機能とは、１つのジョブにおいて２番目に「ウラ表紙」を入力する場合に、当該見開き原稿にかかるジョブのページの出力順について、当該「ウラ表紙」を最後に出力するように並び替える機能を示す。ここにいう「見開き読み込み」は先に述べたものと同様である。ただし、このページ連写機能においては、「オモテ表紙」・「ウラ表紙」を１番目および２番目に入力させるものであるが、この「オモテ表紙」の原稿について、および「ウラ表紙」については、分割しないで出力されるものである。
【００５３】
また、図５は、本発明の実施形態にかかる画像形成装置１における出力画像のページ編集のうち、差込ページ機能を設定する設定画面である。本実施形態における差込ページ機能の設定は、差込ページ設定画面において行う。ユーザは操作部８ｂにより、この差込ページ設定画面８０における差込ページ指定領域８１ａ、８１ｂ等に対し、新たな原稿が差し込まれる所望のページ間のうち、先のページを入力する。例えば、１ページ目と２ページ目の間に新たな原稿を差し込む場合は、先の１ページ目を入力する。この入力は、操作部８ｂによって行われる。タッチパネル式のＬＣＤを用いる場合は、ソフトキーとなっている差込ページ指定領域８１ａ、８１ｂ等を指定し、テンキーによりページ数を入力する。
【００５４】
差込ページ指定領域８１ａ、８１ｂ等に差込ページを入力し、その入力した差込ページを設定する場合は、設定ボタン８２を選択する。設定した差込ページの値を変更したい場合は、当該変更する差込ページが入力された差込ページ指定領域を選択し、削除ボタン８３を選択する。差込ページの設定が終了した場合は、ＯＫボタン８４を操作部８ｂにより選択し、設定した差込ページ機能を確定させる。
【００５５】
このようにいずれかの差込ページ機能が選択されてＯＫボタン８４が選択されることにより、制御部５は当該確定された差込ページ機能の条件を制御信号として送信し、ＲＯＭ９に記憶させておく。この制御信号には、原稿にかかるジョブのページの出力順が含まれる。なお、差込ページ機能を解除する場合は、キャンセルボタン８５を選択する。キャンセルボタン８５が選択されると、制御部５は編集機能一覧画面６０の画面データを読出し、表示部８ａに表示させる。
【００５６】
ここで、差込ページ機能とは、複数ページの原稿について、最初に複数の原稿を順に読込んだ後に、当該読込んだ原稿とは異なる新たな原稿を読み込み、これらの原稿データを出力する場合、読み込み順に出力するのではなく、最初に読込んだ原稿の複数のページの画像データにおける任意のページ間に、新たに読込んだ原稿の画像データを挿入し、その順で画像データを出力させる機能である。
【００５７】
また、スタンプの設定についても、ユーザは、表示部８ａに表示された画面において、スタンプデータを原稿の画像データに合成する設定を操作部８ｂ等によって行うことができる。制御部５はスタンプデータの合成を実行する旨の設定を制御信号として送信し、ＲＯＭ９に記憶させておく。
【００５８】
以上のように、ＲＯＭ９に記憶されたページ編集の条件やスタンプの設定にかかる制御信号に基づいて、後述する出力順の並び替え処理や、スタンプデータの生成処理などが実行される。
【００５９】
制御部５による画像処理制御では、受信メモリ４または画像メモリ６にメモリされている原稿の画像データついて、圧縮処理または伸張処理を行い、入出力される原稿の画像データ等を回転させる画像処理を実行させ、Ｉ／Ｆ３のタイミング信号を生成する機能を果たす。さらに、画像読取部２０が読み取った原稿を排紙させる制御も行う。
【００６０】
制御部５による出力順の並び替えによる変更処理では、受け付けたジョブついて画像メモリ６に格納されている原稿の画像データのページの出力順の変更処理を行うかについて判断する。この判断は当該ジョブについて、ＲＯＭ９にページの出力順の変更処理にかかる制御信号が記憶されているかどうかに基づいて判断する。ＲＯＭ９に、当該ジョブについての当該制御信号が記憶されている場合は、当該制御信号に含まれるページ順にかかる情報に基づいて、次に述べる変更処理を行う。
【００６１】
この変更処理の具体的方法としては、例えば前述の読出しアドレス管理により作成された当該ジョブについての読出しアドレスのリストにおいて、原稿の画像データの各ページに付加した読出しアドレスを変更することにより、出力される画像データの出力順を変更できる。
【００６２】
また、出力順の変更処理が実行されるのは、例えばページ連写機能において「オモテ・ウラ表紙／見開き読み込み」機能を設定した場合や、差込ページ機能を設定した場合等やその他インターシート機能を使用する場合である。ここで、図６および図７を用いてページ連写機能において「オモテ・ウラ表紙／見開き読み込み」を設定した場合または差込ページ機能を設定した場合の出力順が変更された状態について説明する。
【００６３】
なお、図６（Ａ）は、本発明の実施形態にかかる画像形成装置１において、入力された原稿の入力順を示す図であり、図６（Ｂ）は、本発明の実施形態にかかる画像形成装置１において、ページ連写機能において「オモテ・ウラ表紙／見開き読み込み」機能を設定した場合の、スタンプデータが合成された状態かつ合成された画像データの出力順が変更された状態を示す図である。図７（Ａ）は、本発明の実施形態にかかる画像形成装置１において、原稿の入力順を示す図であり、図７（Ｂ）は、本発明の実施形態にかかる画像形成装置１において、差込ページ機能において「原稿片面４ページで１ページ目の後に差込ページを挿入する」を設定した場合にスタンプデータが合成された状態かつ合成された画像データの出力順が変更された状態を示す図である。
【００６４】
ページ連写機能において「オモテ・ウラ表紙／見開き読み込み」機能を設定した場合は、図６（Ａ）に示すように、原稿の読み込み順が、「オモテ表紙」、「ウラ表紙」、見開きページの「原稿Ａ・Ｂ」、見開きの「原稿Ｃ・Ｄ」となっている場合であっても、図（Ｂ）に示すように、制御部５の出力順の変更により、「ウラ表紙」を最後に出力するように画像データの出力順が変更される。
【００６５】
また、図７（Ａ）に示すように差込ページ機能を設定した場合は、原稿の読み込み順が、「原稿１〜４」、「原稿５」であっても、図７（Ｂ）に示すように、制御部５の出力順の変更処理により、「原稿５」が２番目に出力され、「原稿２〜４」の出力順は、「原稿５」が差し込まれた分だけ順にずれていくように画像データの出力順が変更される。
【００６６】
制御部５によるスタンプデータの生成処理では、ＲＯＭ９に、当該ジョブについてのスタンプデータの合成を実行する旨の制御信号が記憶されている場合は、当該制御信号に基づいて、スタンプ生成部７にスタンプデータを生成させる。このスタンプデータは画像データのページごとに生成される。このスタンプデータの生成処理は、出力順の変更処理が実行される場合は、その変更処理の実行後に行われる。また、スタンプデータとして画像データの各ページに通し番号を付加する場合は、カウンタにより通し番号を付加するごとに１ずつカウントアップし、次にスタンプを付加する画像データのために当該カウントアップした通し番号に更新させる。
【００６７】
制御部５によるスタンプデータの合成処理では、生成されたページごとのスタンプデータを、対応する画像データと合成処理を行う。この合成処理とは、例えば図６（Ｂ）、図７（Ｂ）のように、スタンプデータを画像データに付加して一連の画像データとする。
【００６８】
また、スタンプデータの合成処理では、スタンプデータと画像データが合成された画像データを画像メモリ６に記憶させる。また、画像メモリ６に合成された画像データが記憶されると、当該合成された画像データに付加された読出しアドレスを利用して、当該合成された画像データがスタンプデータの合成処理済である旨を読出しアドレスのリストに登録する。
【００６９】
プリンタ制御では、入力された原稿の画像データにかかるジョブを実行して、画像書込部２１、画像形成部２２、搬送部３０、給紙トレイ４０を制御して、画像メモリ６に記憶されている合成された画像データを出力して用紙に画像形成させる。
【００７０】
次に、図６〜８を用いて、この実施形態にかかる画像形成装置１において、原稿の入力を受けてから原稿の画像データとスタンプデータの合成処理を経過し、画像データを出力する一連の動作について説明する。図８は、ページ連写機能や差込ページ機能により画像データの出力順の変更処理が行われる場合の画像形成装置の一連の動作を示すフローチャートである。
【００７１】
（Ｓ０１）
制御部５は、原稿にかかるジョブについて条件の設定が行われている場合は、当該設定された条件をＲＯＭ９に記憶させる。このとき、ＲＯＭ９に記憶された条件に基づき、前述の画像データの出力順の変更処理を行うかについての判定がなされる。
【００７２】
（Ｓ０２）
制御部５は、原稿の画像データにかかるジョブを受け付け、原稿の画像データが入力されると、操作表示制御によって設定された当該原稿の画像データにかかる設定条件に基づき当該原稿の画像データにかかるジョブの処理を開始する。このとき、操作表示制御によっていずれの設定もなされていない場合は、あらかじめ定められている設定により、処理が開始される。ここでいう処理とは、読出しアドレス管理などである。
【００７３】
（Ｓ０３）
制御部５は、原稿の画像データにかかるジョブの処理が開始されると、入力された原稿の画像データに対し圧縮処理を施して画像メモリ６に記憶させる。また、自動原稿搬送装置１０や原稿台１３に載置された原稿を読み取ることにより原稿の画像データが入力された場合は画像メモリ６に記憶され、外部端末５０等の外部装置から入力された画像データは受信メモリ４に記憶されてから画像メモリ６に記憶される。
【００７４】
（Ｓ０４）
制御部５は、Ｓ０１で記憶しておいた当該原稿にかかるジョブの設定された条件と、Ｓ０２で受け付けた原稿にかかるジョブのページ数等から、当該ジョブについて全ての原稿の読み込みを完了したかどうかを判断する。原稿の読み込みが完了していないと判断した場合は（Ｓ０４；Ｎｏ）、再びＳ０２の原稿の画像の入力を継続する。
【００７５】
（Ｓ０５）
制御部５は、Ｓ０４において、当該ジョブについて全ての原稿の画像の読み込みを完了したと判断した場合（Ｓ０４；Ｙｅｓ）、Ｓ０３において画像メモリ６に記憶させた原稿の画像データの出力順を、読出しアドレスのリストにおいて各ページに付加した読出しアドレスを変更することにより、並び替えを行う。この並び替えはＳ０１においてＲＡＭ等に記憶させておいた条件における各ページの画像データの出力順にかかる情報に基づいて行う。例えば、図７のように、差込ページ機能において設定した条件に基づいて差込ページの画像データの差し込みを実行する。
【００７６】
（Ｓ０６）
制御部５は、Ｓ０５において画像データの出力順の変更処理を実行し、変更処理が完了すると、変更された画像データの各ページに対してスタンプデータを生成する。このスタンプデータは、Ｓ０１においてＲＡＭ等に記憶させておいた設定条件に基づいて生成される。このように、スタンプデータの生成が画像データの出力順の変更処理の後に行われることによって、画像データの出力順の変更が行われた場合でもスタンプにおける通し番号は、出力順と齟齬を生ずることなく連番となって出力される。例えば、ページ連写機能において「オモテ・ウラ表紙／見開き読み込み」機能を設定した場合でも、図６（Ｂ）に示すように出力順が変更された順に通し番号が「１００１」「１００２」「１００３」〜「１００６」となり連番として出力される。また、差込ページ機能を設定した場合であっても、図７（Ｂ）に示すように出力順が変更された順に通し番号が付加され、連番として出力される。
【００７７】
（Ｓ０７）
制御部５は、Ｓ０６においてスタンプデータの生成処理を実行し、スタンプデータの生成を完了すると、Ｓ０５において読出しリストにおいて出力順が変更された画像データの順番で、各ページに対して生成されたスタンプデータと画像データを合成する。このようにしてスタンプデータと原稿の画像データが合成された画像データが、実際に出力される合成画像データとなる。
【００７８】
（Ｓ０８）
制御部５は、Ｓ０７においてスタンプデータの合成処理がなされた合成された画像データを、画像メモリ６に記憶させる。このとき、記憶させる画像データのページの順番は、出力順の変更処理によって変更された読出しアドレスのリストの順となる。
【００７９】
（Ｓ０９）
制御部５は、Ｓ０７においてスタンプデータとして画像データの各ページに通し番号を付加するたびに、スタンプ生成部７におけるカウンタの通し番号を１ずつカウントアップし、スタンプ生成部７に記憶されている通し番号を当該カウントアップした数値に更新させる。
【００８０】
（Ｓ１０）
制御部５は、スタンプ生成部７に記憶されている通し番号が更新されると、原稿にかかるジョブの全ページの画像データについて、スタンプデータの合成処理が完了したかについて判断する。この判断は、読出しアドレス管理により画像メモリ６に作成された読出しアドレスのリストに基づいて各読出しアドレスにかかる画像データが処理済として登録されているかによって判断される。スタンプデータの合成が完了していないと判断した場合は（Ｓ１０；Ｎｏ）、再びＳ０６からのスタンプデータの合成処理を継続する。それに対し、スタンプデータの合成処理が完了したと判断した場合は（Ｓ１０；Ｙｅｓ）、制御部５は、当該原稿にかかるジョブを実行させ、画像書込部２１、画像形成部２２、搬送部３０、給紙トレイ４０等を制御して、画像メモリ６に記憶されている合成された画像データを表示操作制御において設定された方法、即ち、用紙への画像形成またはＩＰスキャナ送信等により画像データを出力させる。
【００８１】
（作用効果）
以上説明した本実施形態にかかる画像形成装置の作用及び効果について説明する。
【００８２】
本発明の実施形態にかかる画像形成装置１は制御部５を介して原稿の画像データの入力順と異なる出力順を設定する、ページ連写機能の「オモテ・ウラ表紙／見開き読み込み」や、差込ページ機能などの出力順の変更処理が必要な場合に、出力順の変更処理が行われてからスタンプデータと各ページごとの原稿の画像データを合成するように構成されている。
【００８３】
したがって、スタンプ機能を設定し、出力順の変更処理が実行された場合であっても、原稿の画像データに付加される通し番号を、出力順の通りの連番とすることができる。結果として、ジョブのページ間で出力順と通し番号とが逆転してしまい、出力順と、スタンプとの齟齬が生じる事態を防止することにより、ユーザの混乱を回避することが可能となる。
【００８４】
（変形例）
次に、本発明にかかる画像形成装置の変形例について、以下に説明する。
【００８５】
以上に述べた本実施形態にかかる画像形成装置１では、出力される画像を特定する機能として連番でナンバリングされた通し番号、日付情報または画像形成装置の識別情報を合成するように構成されているが、本発明はこの実施形態に限られない。例えば、出力される画像に付加するページ番号や、定形スタンプ、ウォーターマークも合成してもよく、「極秘」、「回覧」、「回収」、「複製禁止」、「至急」などの文字情報をスタンプデータとして、原稿の画像データに合成することにより、手作業によるこれらの文字情報の付加作業を省略することができる。
【００８６】
また、本実施形態にかかる画像形成装置１は、複数の入力部（Ｉ／Ｆ３、画像読取部２０など）および複数の出力部（Ｉ／Ｆ３、画像形成部２２など）を備えて構成されているが、本発明はこの実施形態に限られず、単一の入力部のみを備えたものであってもよく、同様に単一の出力部を備える構成であってもよい。この変形例においても、以上に説明した本発明の実施形態の画像形成装置１と同様に、出力順とスタンプとの齟齬が生じる事態を防止することにより、ユーザの混乱を回避することが可能となる。
【００８７】
また、本実施形態にかかる画像形成装置１は、制御部５の出力順の変更処理は、読出しアドレスのリストにおいて各画像データに付加されている読出しアドレスを変更することによって出力順の並び替えを実行するように構成されているが、本発明はこの実施形態に限られず、画像データ自体を並び替えるような構成であってもよい。例えば、画像メモリにおいて原稿の画像データをリストで管理し、制御部５がこの原稿の画像データデータのリストを並べ替えるように構成してもよい。この変形例においても、以上に説明した本発明の実施形態の画像形成装置１と同様に、出力順とスタンプとの齟齬が生じる事態を防止することにより、ユーザの混乱を回避することが可能となる。
【図面の簡単な説明】
【００８８】
【図１】本発明の実施形態にかかる画像形成装置の概略構成図である。
【図２】本発明の実施形態にかかる画像形成装置の制御の構成を示すブロック図である。
【図３】本発明の実施形態にかかる画像形成装置において出力画像のページ編集を行うための設定画面を表す図面である。
【図４】本発明の実施形態にかかる画像形成装置における出力画像のページ編集のうち、ページ連写機能に関する設定についての設定画面である。
【図５】本発明の実施形態にかかる画像形成装置における出力画像のページ編集のうち、差込ページ機能に関する設定についての設定画面である
【図６】（Ａ）は、本発明の実施形態にかかる画像形成装置において、入力された原稿の入力順を示す図である。  （Ｂ）は、本発明の実施形態にかかる画像形成装置において、ページ連写機能において「オモテ・ウラ表紙／見開き読み込み」を設定した場合の、スタンプデータが合成された状態および合成された画像データの出力順が変更された状態を示す図である。
【図７】（Ａ）は、本発明の実施形態にかかる画像形成装置において、入力された原稿の入力順を示す図である。  （Ｂ）は、本発明の実施形態にかかる画像形成装置において、差込ページ機能を設定した場合の、スタンプデータが合成された状態かつ合成された画像データの出力順が変更された状態を示す図である。
【図８】本発明の実施形態にかかる画像形成装置において、ページ連写機能や差込ページ機能により画像データの出力順が変更される場合のフローチャートである。
【図９】（Ａ）は、画像形成装置のページ連写機能において「オモテ・ウラ表紙／見開き読み込み」を設定した場合の読み込み順を示す図である。  （Ｂ）は、「オモテ／ウラ表紙」・「見開き読み込み」を設定した場合に、スタンプデータと原稿の画像データとが合成された画像データの出力順の従来の状態を示す図である。
【図１０】（Ａ）は、画像形成装置の差込ページ機能において、「原稿片面４ページで１ページ目の後に差込ページを挿入する」の設定をした場合の読み込み順を示す図である。  （Ｂ）は、画像形成装置の差込ページ機能において、「原稿片面４ページで１ページ目の後に差込ページを挿入する」の設定の下で、スタンプデータと原稿の画像データとが合成された画像データの出力順の従来の状態を示す図である。
【符号の説明】
【００８９】
１  画像形成装置
２  ネットワーク
３  Ｉ／Ｆ
４  受信メモリ
５  制御部
６  画像メモリ
７  スタンプ生成部
８  表示操作部
９  ＲＯＭ
１０  自動原稿搬送装置
２０  画像読取部
２１  画像書込部
２２  画像形成部
３０  搬送部
４０  給紙トレイ
５０  外部端末
６０  編集機能一覧画面
６１  ページ連写ボタン
６２  差込ページボタン
７０  ページ連写設定画面
７１  見開き読み込みボタン
７２  オモテ表紙／見開き読み込みボタン
７３  オモテ表紙・ウラ表紙／見開き読み込みボタン
８０  差込ページ設定画面
８１  差込ページ指定領域
８２  設定ボタン
８３  削除ボタン
【図１】
2008048381.tif 000003
【図２】
2008048381.tif 000004
【図３】
2008048381.tif 000005
【図４】
2008048381.tif 000006
【図５】
2008048381.tif 000007
【図６】
2008048381.tif 000008
【図７】
2008048381.tif 000009
【図８】
2008048381.tif 000010
【図９】
2008048381.tif 000011
【図１０】
2008048381.tif 000012